(57)【要約】【課題】より簡素な構成で、周辺空間をほんのりと照らすようにすることが可能な照明装置を得る。【解決手段】照明装置２０は、発光面４１１ａと非発光面４１１ｂとが形成された周面４１１を有する直管ＬＥＤランプ４１０と、直管ＬＥＤランプ４１０が内部に収容される筐体３０と、を備えている。また、筐体３０には、内部の光Ｌ２を外部の照射対象空間Ｓ１に導出させることが可能な光導出部３２４が形成されている。そして、光導出部３２４が、直管ＬＥＤランプ４１０の発光面４１１ａから照射される光Ｌ１の照射範囲Ｒ１から外れた位置に形成されている。【選択図】図６
2020173903.tif 000002
【特許請求の範囲】
【請求項１】
発光面と非発光面とが形成された周面を有する直管ＬＥＤランプと、
前記直管ＬＥＤランプが内部に収容される筐体と、
を備え、
前記筐体には、内部の光を外部の照射対象空間に導出させることが可能な光導出部が形成されており、
前記光導出部が、前記直管ＬＥＤランプの前記発光面から照射される光の照射範囲から外れた位置に形成されていることを特徴とする照明装置。
【請求項２】
前記直管ＬＥＤランプの前記周面には、前記発光面と前記非発光面とが周方向で隣接するように１面ずつ形成されており、
前記発光面と前記非発光面との一方側の境界での接平面と、前記発光面と前記非発光面との他方側の境界での接平面と、前記非発光面と、で画成される領域内に位置するように、前記光導出部が形成されていることを特徴とする請求項１に記載の照明装置。
【請求項３】
前記発光面は、前記直管ＬＥＤランプを中心軸方向に沿って視た状態で前記照射範囲が１８０°よりも小さくなるように前記周面に形成されていることを特徴とする請求項１または請求項２に記載の照明装置。
【請求項４】
前記光導出部は、前記非発光面と対向する位置であって、前記発光面から照射される光の主光軸方向に沿って視た状態で、少なくとも一部が前記発光面と重なり合う位置に形成される第１の光導出部を有することを特徴とする請求項３に記載の照明装置。
【請求項５】
前記第１の光導出部は、前記直管ＬＥＤランプの中心軸を含み、前記発光面から照射される光の主光軸方向と平行な面によって分断される位置に形成されていることを特徴とする請求項４に記載の照明装置。
【請求項６】
前記光導出部は、前記非発光面と対向する位置であって、前記発光面から照射される光の主光軸方向に沿って視た状態で、前記発光面と重なり合わない位置に形成される第２の光導出部を有することを特徴とする請求項３〜５のうちいずれか１項に記載の照明装置。
【請求項７】
前記光導出部は、前記直管ＬＥＤランプの中心軸に沿って延在するスリットを含むことを特徴とする請求項１〜６のうちいずれか１項に記載の照明装置。
【請求項８】
前記光導出部は、輪郭形状が円形の穴を含むことを特徴とする請求項１〜７のうちいずれか１項に記載の照明装置。
【請求項９】
前記光導出部は、輪郭形状が多角形の穴を含むことを特徴とする請求項１〜８のうちいずれか１項に記載の照明装置。
【請求項１０】
前記穴が、前記直管ＬＥＤランプの中心軸に沿って複数並設されていることを特徴とする請求項８または請求項９に記載の照明装置。
【請求項１１】
前記筐体は、
一側に開口部が形成されて前記直管ＬＥＤランプが配置される空間部を有し、壁部に形成された埋込穴に埋め込まれるケース本体と、
前記開口部を覆うように取り付けられるパネル部材と、
を備えており、
前記パネル部材に前記光導出部が形成されていることを特徴とする請求項１〜１０のうちいずれか１項に記載の照明装置。
【請求項１２】
前記直管ＬＥＤランプは、前記発光面からの光が前記ケース本体の奥壁に向けて照射されるようにした状態で、前記空間部内に配置されていることを特徴とする請求項１１に記載の照明装置。
【請求項１３】
前記発光面からの光を反射させる反射板が前記筐体内に配置されていることを特徴とする請求項１〜１２のうちいずれか１項に記載の照明装置。
【発明の詳細な説明】
【技術分野】
【０００１】
本開示は、照明装置に関する。
【背景技術】
【０００２】
従来、照明装置として、光源部を筐体の内部に収容し、光源部から出射する光を筐体に形成された光導出部から外部に照射させるようにしたものが知られている（例えば、特許文献１参照）。
【０００３】
この特許文献１では、光源部から出射する光を光導出部から外部に直接照射させたり、反射板等で反射させた光を光導出部から外部に照射させたりすることで、照明装置の周辺空間を照らすようにしている。すなわち、上記特許文献１では、直接光および間接光を筐体の外部に照射させることで、照明装置の周辺空間を照らすようにしている。
【先行技術文献】
【特許文献】
【０００４】
【特許文献１】特開２００７−２７３３８５号公報
【発明の概要】
【発明が解決しようとする課題】
【０００５】
ところで、照明装置としては、光源部から出射する光を光導出部から外部に直接照射させることはせずに、反射光等の間接光のみを光導出部から外部に照射させることで、照明装置の周辺空間をほんのりと照らすようにするものもある。
【０００６】
そして、このような照明装置を得る方法としては、上記特許文献１に開示の照明装置を用いて間接光のみを光導出部から外部に照射させるようにすることが考えられる。
【０００７】
しかしながら、上記特許文献１に開示の照明装置では、光源部として周面の全体から光を出射させる直管型蛍光灯が用いられている。そのため、上記特許文献１に開示の照明装置を用いて周辺空間をほんのりと照らす照明装置とする場合、直管型蛍光灯から出射された光が直接光導出部から外部に漏れ出てしまうことを抑制するための遮光板を、直管型蛍光灯と光導出部との間に配置する必要がある。
【０００８】
このように、上記従来の技術を用いて、周辺空間をほんのりと照らすことができるようにすると、照明装置の構成が複雑化してしまう。
【０００９】
そこで、本開示は、より簡素な構成で、周辺空間をほんのりと照らすようにすることが可能な照明装置を得ることを目的とする。
【課題を解決するための手段】
【００１０】
本開示にかかる照明装置は、発光面と非発光面とが形成された周面を有する直管ＬＥＤランプと、前記直管ＬＥＤランプが内部に収容される筐体と、を備えている。また、前記筐体には、内部の光を外部の照射対象空間に導出させることが可能な光導出部が形成されている。そして、前記光導出部が、前記直管ＬＥＤランプの前記発光面から照射される光の照射範囲から外れた位置に形成されている。
【発明の効果】
【００１１】
本開示によれば、より簡素な構成で、周辺空間をほんのりと照らすようにすることが可能な照明装置を得ることができる。
【図面の簡単な説明】
【００１２】
【図１】一例として示す照明装置が天井に埋め込み固定された状態を模式的に示す斜視図である。
【図２】一例として示す照明装置が天井に埋め込み固定された状態を模式的に示す断面図である。
【図３】一例として示す照明装置を模式的に示す図であって、（ａ）は天井裏から視た図、（ｂ）は側面図、（ｃ）は照射対象空間側から視た図、（ｄ）は正面図である。
【図４】一例として示す照明装置を一部拡大して模式的に示す図であって、要部を示す断面図である。
【図５】一例として示す照明装置を一部拡大して模式的に示す図であって、要部を照射対象空間側から視た図である。
【図６】直管ＬＥＤランプの配置位置と光導出部の形成位置との関係を説明する図である。
【図７】照明装置の変形例を示す図であって、天井に埋め込み固定された状態を模式的に示す断面図である。
【図８】光導出部の変形例を一部拡大して模式的に示す図であって、（ａ）は第１変形例にかかる光導出部を示す図、（ｂ）は第２変形例にかかる光導出部を示す図、（ｃ）は第３変形例にかかる光導出部を示す図である。また、（ｄ）は第４変形例にかかる光導出部を示す図、（ｅ）は第５変形例にかかる光導出部を示す図、（ｆ）は第６変形例にかかる光導出部を示す図である。
【発明を実施するための形態】
【００１３】
以下、図面を参照しながら、本実施にかかる照明装置を説明する。また、以下では、照明装置として、壁部としての天井に形成された埋込穴に埋め込まれた状態で取り付けられる照明装置（天井埋め込み型の照明装置）を例示する。
【００１４】
本実施形態にかかる照明装置２０は、図１および図２に示すように、天井１０に形成された埋め込み空間（埋込穴）１４に埋め込まれた状態で取り付けられるものであり、筐体３０を備えている。本実施形態では、照明装置２０は、天井１０に取り付けた状態で、例えば、ビルのエントランス等の空間（照明装置２０の周辺空間：照射対象空間）Ｓ１をほのかに照らすために用いられるものであり、間接照明やアクセント照明としての機能を有している。
【００１５】
筐体３０は、例えば鋼板などの金属で形成されたケース本体３１０を備えており、このケース本体３１０内に光源部４０が収容保持されている。
【００１６】
ケース本体３１０は、一端が開口した箱状に形成されており、奥壁３１１と、奥壁３１１の外周端に連設された側壁３１２と、を備えている。
【００１７】
このように、一端が開口した箱状に形成することで、ケース本体３１０には、一端（一側：下側）に開口部３１０ａを有する空間部３１０ｂが形成されることになる。そして、本実施形態では、この空間部３１０ｂ内に光源部４０が収容保持されている。なお、本実施形態では、略直方体状に形成されたケース本体３１０を例示しているが、ケース本体の形状はこれに限られるものではなく、様々な形状とすることができる。
【００１８】
また、ケース本体３１０の開口部３１０ａ側、すなわち、側壁３１２の開口部３１０ａ側の先端には、フランジ部３１３が外方に延在するように形成されている。さらに、奥壁３１１の長手方向の両側の略中央部には、一対の挿通孔３１１ａが奥壁３１１を厚さ方向に貫通するように形成されている（図３参照）。この挿通孔３１１ａは、丸孔であってもよいし長孔であってもよい。
【００１９】
一方、天井１０には、空間Ｓ１側に開口部１４ａが形成された埋め込み空間（埋込穴）１４が形成されており、この埋め込み空間１４にケース本体３１０が収容されている。
【００２０】
具体的には、天井１０は、図２に示すように、基部１１と、基部１１から離間するように配置された天井壁（壁部）１２と、を備えており、基部１１と天井壁１２との間には、配線等を配置することが可能な天井空間１３が形成されている。
【００２１】
そして、天井壁１２にケース本体３１０の幅寸法および長さ寸法に対応した開口部１２ａを形成することで、開口部１４ａを有し、ケース本体３１０を収容可能な埋め込み空間１４を形成している。このような埋め込み空間１４にケース本体３１０を収容させると、フランジ部３１３が天井壁１２の壁面（壁部の表面）１２ｂに当接することとなる。すなわち、埋め込み空間１４にケース本体３１０を収容させた状態で、下側から見上げたときに、フランジ部３１３が天井壁１２における埋め込み空間（埋込穴）１４の周縁部１２ｃと重なり合うこととなる。
【００２２】
なお、天井空間が形成されていない天井壁に埋め込み空間を形成することも可能である。
【００２３】
また、基部１１には、雄ネジ部１５ｂを有するボルト１５が下方に向けて突出するように固定されている。このボルト１５は、ケース本体３１０を埋め込み空間１４に収容してフランジ部３１３を天井壁１２の壁面１２ｂに当接させた状態で、先端１５ａが挿通孔３１１ａを通過してケース本体３１０の空間部３１０ｂ内に突出するように、基部１１に設けられている。
【００２４】
そして、ケース本体３１０の空間部３１０ｂ内に突出した先端１５ａにナット１６を締結することで、ケース本体３１０が、天井１０に形成された埋め込み空間１４内に収容固定されている。なお、ケース本体３１０の挿通孔３１１ａの周囲には、ケース本体３１０が変形してしまうことを抑制する補強板３１４が設けられている。本実施形態では、補強板３１４は、空間部３１０ｂ内で奥壁３１１に取り付けられている。この補強板３１４の形状は様々な形状とすることができる。また、補強板３１４を取り付ける部位も適宜設定することができる。
【００２５】
このように、ケース本体３１０には、開口部３１０ａを有する空間部３１０ｂが形成されるとともに、空間部３１０ｂと外部とを連通してボルト１５が挿通される挿通孔３１１ａが形成されている。そして、ケース本体３１０は、ボルト１５によって天井１０に形成された埋め込み空間１４内に収容固定されている。
【００２６】
また、ケース本体３１０は、側壁３１２の開口部３１０ａ側に形成され、ケース本体３１０を埋め込み空間１４内に収容した状態で天井壁１２の壁面（壁部の表面）１２ｂに当接するフランジ部３１３を備えている。
【００２７】
そして、ケース本体３１０の空間部３１０ｂ内には、上述したように、光源部４０が収容保持されている。本実施形態では、略円柱状の直管ＬＥＤランプ４１０を用いて光源部４０を形成している。なお、直管ＬＥＤランプ４１０は、光源としてのＬＥＤ素子（図示せず）を用いて、照射範囲が３６０°よりも小さな角度となるように形成したものである。すなわち、直管ＬＥＤランプ４１０は、円筒部の全体を光らせるのではなく、一部のみを光らせるようにしたものである。
【００２８】
このような直管ＬＥＤランプ４１０は、例えば、複数のＬＥＤ素子を、一部が光透過性の材料で形成された円筒状のケース内に配置することで形成することができる。このとき、ＬＥＤ素子として、指向性を有する（所定の範囲のみが照射される）ＬＥＤ素子を用いるのが好ましい。また、指向性を有する複数のＬＥＤ素子を、主光軸方向を一致させた状態で円筒状のケースの中心軸Ｃ１上で並ぶように配置するのが好ましい。そして、円筒状のケースは、少なくともＬＥＤ素子から照射される光が当たる部位が光透過性を有するようにするのが好ましい。こうすれば、直管ＬＥＤランプ４１０の照射範囲を、ＬＥＤ素子の照射範囲に略一致させることができ、ＬＥＤ素子から出射される光をより効率的に直管ＬＥＤランプ４１０の外部に照射させることができる。
【００２９】
そして、本実施形態では、照射範囲が約１２０°（１８０°よりも小さな角度）となる直管ＬＥＤランプ４１０を用いている。具体的には、本実施形態では、中心軸Ｃ１方向に沿って視たときに、中心角が約１２０°となる円弧から直接光Ｌ１が外部に照射されるように構成された直管ＬＥＤランプ４１０を用いている。
【００３０】
したがって、本実施形態で用いられる直管ＬＥＤランプ４１０では、中心軸Ｃ１方向に沿って視たときに中心角が約１２０°となる円弧の外面が発光面４１１ａとなっている。そして、発光面４１１ａが形成されている円弧以外の円弧（中心角が約２４０°の円弧）の外面が、非発光面４１１ｂとなっている。このように、本実施形態で用いられる直管ＬＥＤランプ４１０の周面４１１には、発光面４１１ａと非発光面４１１ｂとが周方向で隣接するように１面ずつ形成されている。
【００３１】
そして、発光面４１１ａよりも直管ＬＥＤランプ４１０の外側、かつ、中心軸Ｃ１方向に沿って視た状態における中心角が約１２０°となる領域が、発光面４１１ａから照射される光（直接光Ｌ１）の照射領域（照射範囲）Ｒ１となっている。この照射領域Ｒ１は、図６に示すように、発光面４１１ａと境界面Ｐ１と境界面Ｐ２とで区画されている。ここで、境界面Ｐ１とは、中心軸Ｃ１と、発光面４１１ａと非発光面４１１ｂとの一方側の境界（境界線）Ｂ１と、を含む面のことである。また、境界面Ｐ２とは、中心軸Ｃ１と、発光面４１１ａと非発光面４１１ｂとの他方側の境界（境界線）Ｂ２と、を含む面のことである。
【００３２】
また、本実施形態では、空間（照明装置２０の周辺空間：照射対象空間）Ｓ１をほのかに照らすために、消費電力が比較的少ない４０Ｗの直管ＬＥＤランプ４１０を用いている。
【００３３】
さらに、本実施形態では、消費電力が比較的少ない４０Ｗの直管ＬＥＤランプ４１０を２本用いるとともに、１個の非常灯４７０を用いることで、光源部４０を形成している。具体的には、２本の直管ＬＥＤランプ４１０は、ケース本体３１０の空間部３１０ｂ内で、中心軸Ｃ１方向に沿って一列に並ぶように配置されている。そして、２本の直管ＬＥＤランプ４１０の間に非常灯４７０が配置されるようにしている（図４参照）。すなわち、本実施形態では、２本の直管ＬＥＤランプ４１０は、縦長のケース本体３１０の空間部３１０ｂ内に、非常灯４７０を間に挟んだ状態で縦一列に並ぶように配置されている。
【００３４】
そして、２本の直管ＬＥＤランプ４１０は、それぞれソケット台４２０を介してケース本体３１０の奥壁３１１の内面側に固定されたソケット４３０に取り付けられている。また、１個の非常灯４７０は、ケース本体３１０の奥壁３１１の内面側に固定された非常灯取付板４８０に取り付けられている。具体的には、非常灯４７０に設けられた取付ばね４７１を非常灯取付板４８０に係止させることで、非常灯４７０を非常灯取付板４８０に取り付けている。
【００３５】
なお、直管ＬＥＤランプ４１０の照射範囲（照射角度）や消費電力、直管ＬＥＤランプ４１０の本数や配置方法等は、用途に応じて適宜設定することが可能である。
【００３６】
また、本実施形態では、光源部４０は、ケース本体３１０（筐体３０）内に配置されて、直管ＬＥＤランプ４１０の発光面４１１ａからの光（直接光Ｌ１）を反射させる反射板４４０を備えている。この反射板４４０は、例えば鋼板などの金属で形成することができる。本実施形態では、反射板４４０は、１枚の金属板を屈曲させた形状をしており、天壁４４１と、天壁４４１の幅方向の両端から下方に向けて延設された一対の傾斜壁４４２と、を備えている。そして、一対の傾斜壁４４２は、下方に向かうにつれて距離が離れるように形成されている。
【００３７】
この反射板４４０は、天壁４４１をソケット台４２０に固定することで、ケース本体３１０（筐体３０）内に配置されている。
【００３８】
また、直管ＬＥＤランプ４１０は、反射板４４０の天壁４４１の下方に位置するように配置されている。具体的には、直管ＬＥＤランプ４１０は、図２に示すように、反射板４４０の天壁４４１よりも下方に突出するソケット４３０に取り付けられている。このとき、直管ＬＥＤランプ４１０は、天壁４４１の下面および一対の傾斜壁４４２の内側面と対向するように、ソケット４３０に取り付けられている。
【００３９】
さらに、本実施形態では、直管ＬＥＤランプ４１０は、発光面４１１ａからの光（直接光Ｌ１）がケース本体３１０の奥壁３１１に向けて照射されるようにした状態で、空間部３１０ｂ内に配置されている。
【００４０】
具体的には、直管ＬＥＤランプ４１０は、発光面４１１ａから照射される光（直接光Ｌ１）の主光軸方向Ｚが、図２において上方を向くようにした状態で、ソケット４２０に取り付けられている。すなわち、発光面４１１ａの全面が、反射板４４０の内面（天壁４４１の下面および一対の傾斜壁４４２の内側面）と対向するように、直管ＬＥＤランプ４１０を配置している。こうすることで、発光面４１１ａから照射された光（直接光Ｌ１）の全てが、反射板４４０の内面（天壁４４１の下面および一対の傾斜壁４４２の内側面）に当たるようにしている。そして、発光面４１１ａから反射板４４０の内面に向けて照射された光（直接光Ｌ１）は、反射板４４０により反射されて、反射光（間接光）Ｌ２として筐体３０の内部に拡散されることとなる。
【００４１】
なお、反射板４４０の内面を放物面とし、所定の方向や所定の位置を向くように光（直接光Ｌ１）を反射させるようにしてもよい。
【００４２】
また、光源部４０は、図３（ａ）に示すように、直管ＬＥＤランプ４１０に電気を供給する電源ユニット４５０と、天井空間１３に配置された配線が接続される端子台４６０と、を備えている。本実施形態では、奥壁３１１の長手方向の中央部に一対の挿通孔３１１ｂが奥壁３１１を厚さ方向に貫通するように形成されている。そして、天井空間１３に配置された配線が、この挿通孔３１１ｂａを通ってケース本体３１０の空間部３１０ｂ内に導入されて、端子台４６０に接続されるようにしている。なお、この挿通孔３１１ｂａも、丸孔であってもよいし長孔であってもよい。
【００４３】
さらに、本実施形態では、ケース本体３１０に形成された開口部３１０ａがパネル部材３２０によって閉塞されるようにしている。
【００４４】
具体的には、パネル部材３２０をケース本体３１０に着脱自在に装着させるようにしており、パネル部材３２０をケース本体３１０に装着させた状態で、ケース本体３１０の開口部３１０ａがパネル部材３２０によって覆われるようにしている。
【００４５】
すなわち、本実施形態にかかる筐体３０は、空間部３１０ｂの一側（手前側：照射空間側）に形成された開口部３１０ａを覆うように取り付けられるパネル部材３２０を備えている。
【００４６】
このパネル部材３２０は、例えば鋼板などの金属で形成することができ、開口部３１０ａを覆うパネル本体３２１と、パネル本体３２１をケース本体３１０に支持させる取付ばね３２３が設けられたパネル支持部材３２２と、を備えている。
【００４７】
本実施形態では、パネル本体３２１の外周部３３１ａが、パネル部材３２０をケース本体３１０に装着させた状態で、ケース本体３１０のフランジ部３１３を外側から覆うように配置される枠部となっている（図２参照）。すなわち、パネル本体３２１の外周部３３１ａは、開口部３１０ａを覆うようにパネル部材３２０を取り付けた状態で、下側から見上げたときに、天井壁１２における埋め込み空間（埋込穴）１４の周縁部１２ｃと重なり合うように配置されるものである。本実施形態では、下側からパネル部材３２０を見上げた状態が、ケース本体３１０の埋め込み空間（埋込穴）１４への挿入方向に沿って視た状態に相当している。
【００４８】
なお、本実施形態では、ケース本体３１０の埋め込み空間（埋込穴）１４への挿入方向も、図２における上方となっている。すなわち、本実施形態では、発光面４１１ａから照射される光（直接光Ｌ１）の主光軸方向Ｚを、ケース本体３１０の埋め込み空間（埋込穴）１４への挿入方向に略一致させている。
【００４９】
また、パネル本体３２１の幅方向の中央部には、スリットが、直管ＬＥＤランプ４１０の中心軸Ｃ１に沿って延在するように形成されており、このスリットから筐体３０の外部に光が導出されるようにしている。すなわち、本実施形態では、パネル部材３２０のパネル本体３２１に、直管ＬＥＤランプ４１０の中心軸Ｃ１に沿って延在するスリット状の光導出部３２４が形成されている。
【００５０】
一方、パネル支持部材３２２は、パネル本体３２１の周囲を囲うように形成された周壁３２２ａと、周壁３２２ａの下端（手前側の端部）から外側（天井壁１２側）に向けて略水平に延設された底壁３２２ｂと、を備えている。なお、パネル本体３２１の全周を囲うように周壁３２２ａや底壁３２２ｂを形成してもよい。また、パネル本体３２１の一部が囲われないようにした状態で周壁３２２ａや底壁３２２ｂを形成してもよい。
【００５１】
そして、パネル支持部材３２２の底壁３２２ｂをパネル本体３２１の外周部３３１ａに、溶接等により固定することで、パネル支持部材３２２とパネル本体３２１とを一体化させたパネル部材３２０を形成している。
【００５２】
また、周壁３２２ａの上端部には、取付ばね３２３が取り付けられており、この取付ばね３２３をケース本体３１０の側壁３１２の内側に取り付けられたブラケット３１５に係止させることで、パネル部材３２０をケース本体３１０に装着させている。
【００５３】
本実施形態にかかる照明装置２０は、上記のような構成とすることで、例えば、以下のようにして、天井１０に埋め込み固定されることになる。
【００５４】
まず、天井１０に形成された埋め込み空間１４内にケース本体３１０を収容し、ボルト１５およびナット１６により締結固定する。次に、光源部４０をケース本体３１０の空間部３１０ｂ内に収容保持させる。次に、光源部４０をケース本体３１０の空間部３１０ｂ内に収容保持した状態で、パネル部材３２０をケース本体３１０に装着させる。こうすることで、天井１０に埋め込み固定された照明装置２０が形成される。
【００５５】
ここで、本実施形態では、上述したように、空間（照明装置２０の周辺空間：照射対象空間）Ｓ１をほのかに照らすことが可能な照明装置２０としている。
【００５６】
具体的には、発光面４１１ａの全面が、反射板４４０の内面（天壁４４１の下面および一対の傾斜壁４４２の内側面）と対向するように、直管ＬＥＤランプ４１０を配置している。そして、発光面４１１ａから照射された光（直接光Ｌ１）の全てが、反射板４４０の内面（天壁４４１の下面および一対の傾斜壁４４２の内側面）に当たるようにしている。
【００５７】
また、筐体３０の内部の光を外部の空間Ｓ１に導出させることが可能な光導出部３２４をパネル部材３２０のパネル本体３２１に形成している。そして、発光面４１１ａから照射されて反射板４４０により反射された反射光（間接光Ｌ２）が光導出部３２４から外部に漏れ出るようにしている。
【００５８】
具体的には、直管ＬＥＤランプ４１０の発光面４１１ａから照射される光（直接光Ｌ１）の照射領域（照射範囲）Ｒ１から外れた位置に光導出部３２４が形成されるようにしている。こうすることで、直接光Ｌ１が光導出部３２４から筐体３０の外部に漏れ出ることがないようにしている。すなわち、反射板４４０により反射された反射光（間接光Ｌ２）のみが光導出部３２４から筐体３０の外部に漏れ出るようにしている。
【００５９】
さらに、本実施形態では、光導出部３２４が、発光面４１１ａと非発光面４１１ｂとの一方側の境界Ｂ１での接平面Ｐ３と、他方側の境界Ｂ２での接平面Ｐ４と、非発光面４１１ｂと、で画成される領域Ｒ２内に位置するようにしている。
【００６０】
こうすることで、光導出部３２４から筐体３０の内部を覗いたときに、発光面４１１ａが見えないようにし、直管ＬＥＤランプ４１０が光っている状態を、光導出部３２４から目視することができないようにしている。
【００６１】
さらに、本実施形態では、周面４１１に発光面４１１ａを、直管ＬＥＤランプ４１０を中心軸Ｃ１方向に沿って視た状態で照射領域（照射範囲）Ｒ１が約１２０°となる（１８０°よりも小さくなる）ように形成している。
【００６２】
こうすることで、発光面４１１ａの全体が非発光面４１１ｂの裏側に隠れるようにすることができ、非発光面４１１ｂのみが見える状態とすることができるようにしている。
【００６３】
さらに、本実施形態では、光導出部３２４を、非発光面４１１ｂと対向する位置であって、発光面４１１ａから照射される光の主光軸方向（図２および図６の上下方向）Ｚに沿って視た状態で、少なくとも一部が発光面４１１ａと重なり合う位置に形成している。
【００６４】
したがって、本実施形態にかかる光導出部３２４は、第１の光導出部３２４ａに相当している。なお、第１の光導出部３２４ａは、非発光面４１１ｂと対向する位置であって、発光面４１１ａから照射される光の主光軸方向Ｚに沿って視た状態で、少なくとも一部が発光面４１１ａと重なり合う位置に形成される光導出部３２４のことである。
【００６５】
さらに、本実施形態では、第１の光導出部３２４ａを、直管ＬＥＤランプ４１０の中心軸Ｃ１を含み、発光面４１１ａから照射される光の主光軸方向Ｚと平行な面Ｐ５によって分断される位置に形成している。すなわち、図２および図６において、発光面４１１ａから照射される光の主光軸方向Ｚを真上に向けた状態で、発光面４１１ａの真下に第１の光導出部３２４ａを形成するようにしている。
【００６６】
このような構成とすることで、照明装置２０の電源をオンにすると、直管ＬＥＤランプ４１０の発光面４１１ａが光ることになる。そして、発光面４１１ａから照射された光（直接光Ｌ１）の全てが、反射板４４０の内面（天壁４４１の下面および一対の傾斜壁４４２の内側面）に当たって、反射することになる。そして、反射板４４０により反射することで、筐体３０の内部に光（反射光Ｌ２）が拡散されることになる。そして、筐体３０の内部で拡散された光（反射光Ｌ２）の一部が、間接光Ｌ２として光導出部３２４（第１の光導出部３２４ａ）から筐体３０の外部に漏れ出て、空間（照明装置２０の周辺空間：照射対象空間）Ｓ１がほのかに照らされることになる。
【００６７】
なお、照明装置２０の形状は、本実施形態で示したものに限られず、例えば、図７に示す照明装置２０とすることができる。
【００６８】
図７に示す照明装置２０も、天井１０に形成された埋め込み空間（埋込穴）１４に埋め込まれた状態で取り付けられるものであり、筐体３０を備えている。
【００６９】
そして、筐体３０の内部の空間部３１０ｂ内には、直管ＬＥＤランプ４１０が、発光面４１１ａからの光（直接光Ｌ１）がケース本体３１０の奥壁３１１に向けて照射されるようにした状態で配置されている。
【００７０】
そして、図７においても、筐体３０の内部の光を外部の空間Ｓ１に導出させることが可能な光導出部３２４をパネル部材３２０のパネル本体３２１に形成している。
【００７１】
この光導出部３２４は、直管ＬＥＤランプ４１０の発光面４１１ａから照射される光（直接光Ｌ１）の照射領域（照射範囲）Ｒ１から外れた位置に形成されている。また、光導出部３２４は、発光面４１１ａと非発光面４１１ｂとの一方側の境界Ｂ１での接平面Ｐ３と、他方側の境界Ｂ２での接平面Ｐ４と、非発光面４１１ｂと、で画成される領域Ｒ２内に位置するように形成されている。
【００７２】
ここで、図７に示す照明装置２０では、光導出部３２４を、非発光面４１１ｂと対向する位置であって、発光面４１１ａから照射される光の主光軸方向（図２および図６の上下方向）Ｚに沿って視た状態で、発光面４１１ａと重なり合わない位置に形成している。すなわち、図７に示す照明装置２０では、直管ＬＥＤランプ４１０の発光面４１１ａの真下ではなく、幅方向の一方側にずれた位置に光導出部３２４を形成している。
【００７３】
したがって、図７に示す光導出部３２４は、非発光面４１１ｂと対向する位置であって、発光面４１１ａから照射される光の主光軸方向Ｚに沿って視た状態で、発光面４１１ａと重なり合わない位置に形成される第２の光導出部３２４ｂに相当するものである。
【００７４】
このような構成としても、上記実施形態で示した照明装置２０とほぼ同様の作用、効果を奏することができる。
【００７５】
また、上記実施形態および図７では、直管ＬＥＤランプ４１０の中心軸Ｃ１に沿って延在するように形成されたスリットを光導出部３２４としたものを例示したが、光導出部３２４は、スリット以外のもので形成することもできる。
【００７６】
例えば、図８（ａ）に示すように、輪郭形状が三角形（多角形）の穴を、直管ＬＥＤランプ４１０の中心軸Ｃ１に沿って複数並設させることで、光導出部３２４を形成してもよい。
【００７７】
また、図８（ｂ）に示すように、輪郭形状が円形の穴を、直管ＬＥＤランプ４１０の中心軸Ｃ１に沿って複数並設させることで、光導出部３２４を形成してもよい。
【００７８】
また、図８（ｃ）に示すように、輪郭形状が正方形（多角形）の穴を、直管ＬＥＤランプ４１０の中心軸Ｃ１に沿って複数並設させることで、光導出部３２４を形成してもよい。
【００７９】
また、図８（ｄ）に示すように、輪郭形状が長方形（多角形）の穴を、直管ＬＥＤランプ４１０の中心軸Ｃ１に沿って複数並設させることで、光導出部３２４を形成してもよい。
【００８０】
また、図８（ｅ）に示すように、長丸状のスリットを、直管ＬＥＤランプ４１０の中心軸Ｃ１に沿って延在するように形成することで、光導出部３２４を形成してもよい。
【００８１】
また、図８（ｆ）に示すように、直管ＬＥＤランプ４１０の中心軸Ｃ１に沿う光導出部３２４を、複数列（図８（ｆ）では２列）形成するようにしてもよい。この図８（ｆ）には、スリット状の光導出部３２４と、輪郭形状が正方形の穴を、直管ＬＥＤランプ４１０の中心軸Ｃ１に沿って複数並設させることで形成される光導出部３２４と、を２列に配置したものを例示している。
【００８２】
このとき、第１の光導出部３２４ａと第２の光導出部３２４ｂとが形成されるようにしてもよいし、第１の光導出部３２４ａおよび第２の光導出部３２４ｂのいずれか一方のみが形成されるようにしてもよい。
【００８３】
なお、複数列の光導出部３２４を形成する場合、各列の光導出部３２４は、上記実施形態や図８（ａ）〜図８（ｅ）に示した形状のうちから任意のものとすることができる。
【００８４】
また、同一の輪郭形状をした穴を直管ＬＥＤランプ４１０の中心軸Ｃ１に沿うように配置する必要はなく、直管ＬＥＤランプ４１０の中心軸Ｃ１に沿うように形成された光導出部３２４が、異なる形状の穴を有するようにしてもよい。
【００８５】
また、複数の穴は、直管ＬＥＤランプ４１０の中心軸Ｃ１に沿うように配置する必要はなく、平面上にランダムに形成されるようにしてもよい。
【００８６】
また、穴の輪郭形状は、図８に示す形状に限られるものではなく、様々な形状とすることができる。
【００８７】
以上説明したように、本実施形態にかかる照明装置２０は、発光面４１１ａと非発光面４１１ｂとが形成された周面４１１を有する直管ＬＥＤランプ４１０と、直管ＬＥＤランプ４１０が内部に収容される筐体３０と、を備えている。
【００８８】
また、筐体３０には、内部の光（間接光Ｌ２）を外部の空間（照射対象空間）Ｓ１に導出させることが可能な光導出部３２４が形成されている。
【００８９】
そして、光導出部３２４が、直管ＬＥＤランプ４１０の発光面４１１ａから照射される光（直接光Ｌ１）の照射領域（照射範囲）Ｒ１から外れた位置に形成されている。
【００９０】
こうすれば、直管ＬＥＤランプ４１０の発光面４１１ａから照射される光（直接光Ｌ１）が光導出部３２４から外部の空間（照射対象空間）Ｓ１に漏れ出てしまわないようにすることができる。すなわち、筐体３０の内面や反射板４４０等により反射された光（間接光Ｌ２）のみが、光導出部３２４から外部の空間（照射対象空間）Ｓ１に漏れ出るようにすることができる。その結果、光導出部３２４の周辺（照明装置２０の周辺空間：照射対象空間Ｓ１）をほのかに照らすことができるようになる。
【００９１】
また、本実施形態では、発光面４１１ａと非発光面４１１ｂとが形成された周面４１１を有する直管ＬＥＤランプ４１０を用いている。このように、直管ＬＥＤランプ４１０を用いるようにすれば、全周にわたって光が照射されることがないため、筐体３０の内面の一部分に向けて光（直接光Ｌ１）を照射させるようにすることができる。また、ライトバーのような照明器具を用いた場合のように、筐体３０の内面に器具を直接取り付ける必要がなく、筐体３０の内面から離間した状態で取り付けることができる。
【００９２】
すなわち、筐体３０の内面から離間した状態で、筐体３０における光導出部３２４が形成されている部位とは反対側の内面に向けて光（直接光Ｌ１）が照射されるように、直管ＬＥＤランプ４１０を配置することができる。そして、このような状態となるように直管ＬＥＤランプ４１０を配置すれば、遮光板を用いることなく、光導出部３２４から外部の空間（照射対象空間）Ｓ１に直接光Ｌ１が漏れ出てしまわないようにすることができる。
【００９３】
このように、本実施形態によれば、より簡素な構成で、周辺空間Ｓ１をほんのりと照らすようにすることが可能な照明装置２０を得ることができる。
【００９４】
また、直管ＬＥＤランプ４０の周面４１１には、発光面４１１ａと非発光面４１１ｂとが周方向で隣接するように１面ずつ形成されるようにしてもよい。
【００９５】
そして、発光面４１１ａと非発光面４１１ｂとの一方側の境界Ｂ１での接平面Ｐ３と、他方側の境界Ｂ２での接平面Ｐ４と、非発光面４１１ｂと、で画成される領域Ｒ２内に位置するように、光導出部３２４が形成されていてもよい。
【００９６】
こうすれば、光導出部３２４から筐体３０の内部を覗いたときに、直管ＬＥＤランプ４０の発光面４１１ａが見えてしまうことを抑制することができる。すなわち、直管ＬＥＤランプ４０の光っている状態を筐体３０の外部から見えてしまうことがないようにすることができ、より確実に周辺空間Ｓ１をほんのりと照らすことができるようになる。
【００９７】
また、発光面４１１ａが、直管ＬＥＤランプ４１０を中心軸Ｃ１方向に沿って視た状態で照射範囲が１８０°よりも小さくなるように周面４１１に形成されるようにしてもよい。
【００９８】
こうすれば、発光面４１１ａの全体が非発光面４１１ｂの裏側に隠れるようにすることができるため、直管ＬＥＤランプ４０が光っている状態を筐体３０の外部から見えなくすることが可能な範囲をより広くすることができる。その結果、光導出部３２４の大きさや光導出部３２４が形成される位置をより自由に設定することができるようになる。
【００９９】
また、光導出部３２４が、非発光面４１１ｂと対向する位置であって、発光面４１１ａから照射される光Ｌ１の主光軸方向Ｚに沿って視た状態で、少なくとも一部が発光面４１１ａと重なり合う位置に形成される第１の光導出部３２４ａを有するようにしてもよい。
【０１００】
こうすれば、光導出部３２４が発光面４１１ａの裏側に形成されることになるため、より確実に、直管ＬＥＤランプ４０が光っている状態を筐体３０の外部から見えなくすることができるようになる。
【０１０１】
また、第１の光導出部３２４ａが、直管ＬＥＤランプ４１０の中心軸Ｃ１を含み、発光面４１１ａから照射される光Ｌ１の主光軸方向Ｚと平行な面Ｐ５によって分断される位置に形成されるようにしてもよい。
【０１０２】
こうすれば、光導出部３２４が発光面４１１ａの真裏に形成されることになるため、より確実に、直管ＬＥＤランプ４０が光っている状態を筐体３０の外部から見えなくすることができるようになる。
【０１０３】
また、光導出部３２４が、非発光面４１１ｂと対向する位置であって、発光面４１１ａから照射される光Ｌ１の主光軸方向Ｚに沿って視た状態で、発光面４１１ａと重なり合わない位置に形成される第２の光導出部３２４ｂを有するようにしてもよい。
【０１０４】
こうすれば、直管ＬＥＤランプ４１０と光導出部３２４との位置がずれることになるため、光導出部３２４から筐体３０の内部を覗いたときに、直管ＬＥＤランプ４０が見えてしまうことを抑制することができるようになる。
【０１０５】
また、光導出部３２４が、直管ＬＥＤランプ４１０の中心軸Ｃ１に沿って延在するスリットを含むようにしてもよい。
【０１０６】
また、光導出部３２４が、輪郭形状が円形の穴を含むようにしてもよい。
【０１０７】
また、光導出部３２４が、輪郭形状が多角形の穴を含むようにしてもよい。
【０１０８】
また、穴が、直管ＬＥＤランプ４１０の中心軸Ｃ１に沿って複数並設されるようにしてもよい。
【０１０９】
こうすれば、周辺空間Ｓ１をほんのりと照らす照明装置２０の意匠性をより向上させることができるようになる。
【０１１０】
また、筐体３０が、一側に開口部３１０ａが形成されて直管ＬＥＤランプ４１０が配置される空間部３１０ｂを有し、壁部１２に形成された埋込穴１４に埋め込まれるケース本体３１０を備えるようにしてもよい。さらに、筐体３０が、開口部３１０ｂを覆うように取り付けられるパネル部材３２０を備えるようにしてもよい。
【０１１１】
そして、パネル部材３２０に光導出部３２４が形成されるようにしてもよい。
【０１１２】
こうすれば、天井面等の壁面１２ｂに形成されたスリット状などの光導出部３２４の周辺をほんのりと照らすことができるようになるため、外部の空間（照射対象空間）Ｓ１の外観をよりすっきりとした外観とすることができる。その結果、外部の空間（照射対象空間）Ｓ１の見栄えをより向上させることができるようになる。
【０１１３】
また、直管ＬＥＤランプ４１０が、発光面４１１ａからの光Ｌ１がケース本体３１０の奥壁３１１に向けて照射されるようにした状態で、空間部３１０ｂ内に配置されるようにしてもよい。
【０１１４】
こうすれば、光導出部３２４から外部の空間（照射対象空間）Ｓ１に直接光Ｌ１が漏れ出てしまうことをより確実に抑制することができるようになる。
【０１１５】
また、発光面４１１ａからの光Ｌ１を反射させる反射板４４０が筐体３０内に配置されるようにしてもよい。
【０１１６】
こうすれば、反射板４４０で反射された反射光（間接光）Ｌ２を光導出部３２４から外部の空間（照射対象空間）Ｓ１に導出させることができるようになる。また、発光面４１１ａからの光Ｌ１を反射板４４０で反射させるようにすれば、光導出部３２４から外部の空間（照射対象空間）Ｓ１に漏れ出る光（間接光Ｌ２）の量等の設定を、より容易に行うことができるようになる。
【０１１７】
以上、本開示の好適な実施形態について説明したが、上記実施形態には限定されず、種々の変形が可能である。
【０１１８】
例えば、上記実施形態およびその変形例では、天井に形成された埋め込み穴に埋め込まれた状態で取り付けられる天井埋め込み型の照明装置を例示したが、建物の側壁に形成された埋め込み穴に埋め込まれる照明装置とすることも可能である。
【０１１９】
また、上記実施形態およびその変形例では、スリットや穴そのものを光導出部３２４としたものを例示したが、スリットや穴を、光透過性を有する部材で塞ぐようにして、光透過性を有する部材で塞がれたスリットや穴を光導出部３２４とすることも可能である。
【０１２０】
また、ケース本体や反射板、その他細部のスペック（形状、大きさ、レイアウト等）も適宜に変更可能である。
【符号の説明】
【０１２１】
１２  天井壁（壁部）
１４  埋め込み空間（埋込穴）
２０  照明装置
３０  筐体
３１０  ケース本体
３１０ａ  開口部
３１０ｂ  空間部
３１１  奥壁
３２０  パネル部材
３２４  光導出部
３２４ａ  第１の光導出部
３２４ｂ  第２の光導出部
４１０  直管ＬＥＤランプ
４１１  周面
４１１ａ  発光面
４１１ｂ  非発光面
４４０  反射板
Ｂ１  境界線（境界）
Ｂ２  境界線（境界）
Ｃ１  中心軸
Ｌ１  光（直接光）
Ｌ２  反射光（間接光）
Ｐ３  接平面
Ｐ４  接平面
Ｒ１  照射領域（照射範囲）
Ｒ２  領域
Ｓ１  外部の空間（照射対象空間）
【図１】
2020173903.tif 000003
【図２】
2020173903.tif 000004
【図３】
2020173903.tif 000005
【図４】
2020173903.tif 000006
【図５】
2020173903.tif 000007
【図６】
2020173903.tif 000008
【図７】
2020173903.tif 000009
【図８】
2020173903.tif 000010